Podtech/llm-jp-corpus-v4-ja_patent huggingface dataset:
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
データコレクションの登録を受信するステップであって、前記データコレクションが第１のプログラムによって作成され、前記登録が前記第１のプログラムを実行する機械上のオブジェクトランタイムコンポーネントから受信される、ステップと、
前記第１のプログラムとは異なる第２のプログラムから前記データコレクションへの加入を受信するステップであって、前記データコレクションへの加入者のセットが存在し、加入者の前記セットが前記第１のプログラムおよび前記第２のプログラムを備える、ステップと、
前記加入者のうちの第１の加入者が前記データコレクションの状態に変更を行う第１の操作を前記データコレクションに実行したという第１の通知を受信するステップであって、前記加入者のうちの前記第１の加入者は、前記加入者のうちの前記第１の加入者が書かれたプログラミング言語がローカルコレクションに対する操作を実行するために提供するメカニズムを使用することによって、前記データコレクションが前記加入者に対して完全にローカルであるかのように前記第１の操作を実行する、ステップと、
前記第１の操作に基づいて、前記加入者に、前記加入者によって維持される共有コレクションのローカルコピーを更新させるために、前記状態の前記変更を加入者の前記セットに伝搬するステップと
を備える動作を実行するようにプロセッサーを使用するステップ
を備える、データコレクションの共有を容易にする方法。
【請求項２】
前記動作が、
前記加入者のうちの第２の加入者が前記データコレクションに第２の操作を実行したという第２の通知を受信するステップであって、前記第２の操作が前記第１の操作とは異なる、ステップと、
前記第２の操作を前記第１の操作に対して変換することによって前記第１の操作と前記第２の操作との間の衝突を解決するステップと
をさらに備える、請求項１に記載の方法。
【請求項３】
前記第２の通知が、前記データコレクションのアイテムの順序位置を使用して前記第２の操作を記述し、前記順序位置が、前記第１の操作が前記第２の操作の前に実行されるか、または前記第２の操作の後に実行されるかによって異なるアイテムを参照する、請求項２に記載の方法。
【請求項４】
前記動作が、
前記データコレクションの真の状態で前記データコレクションのコピーを維持するステップをさらに備え、前記伝搬するステップが、
前記真の状態を前記加入者に通信するステップを備える、請求項１に記載の方法。
【請求項５】
前記伝搬するステップが、
前記第１の操作を実行することによって得られる、前記データコレクションの状態の前記加入者のバージョンに関連する変更の記述を、前記加入者に通信するステップを備える、請求項１に記載の方法。
【請求項６】
前記動作は、前記データコレクション内のアイテムのコンテンツの構造に関係なく実行される、請求項１に記載の方法。
【請求項７】
前記第１の通知が、前記データコレクションに実行される操作のタイプ、操作されているアイテムの前記データコレクション内の位置、および前記データコレクションの状態を備える、請求項１に記載の方法。
【請求項８】
プロセッサーと、
メモリーと、
前記メモリーに格納されて前記プロセッサー上で実行するコレクション共有コンポーネントと
を備え、
前記コレクション共有コンポーネントが第１の機械上に前記データコレクションを作成する第１のプログラムから登録要求を受信し、第２の機械上で実行する第２のプログラムから前記データコレクションへの加入要求を受信し、前記第１のプログラムが前記第２のプログラムとは異なり、前記第１の機械が前記第２の機械とは異なり、前記コレクション共有コンポーネントが、加入者のセットの第１のメンバーから、前記データコレクションの状態を変更する第１の操作が前記第１のメンバーによって実行されたという第１の通知を受信し、前記状態が変更されたという第２の通知を加入者の前記セットに伝搬し、前記第２の通知は、前記加入者に、前記第１の操作に基づいて、前記加入者によって維持される共有コレクションのローカルコピーを更新させ、加入者の前記セットが前記第１のプログラムおよび前記第２のプログラムを備え、前記第１のメンバーは、前記第１のメンバーが書かれたプログラミング言語がローカルコレクションに対する操作を実行するために提供するメカニズムを使用することによって、前記コレクションに対して前記第１の操作を実行し、前記第１のメンバーは、前記コレクションが完全にローカルなコレクションであるかのように前記第１の操作を実行する、データコレクションの共有を容易にするためのシステム。
【請求項９】
前記コレクション共有コンポーネントが、加入者の前記セットの第２のメンバーから、前記第２のメンバーが前記データコレクションに第２の操作を実行したという第３の通知を受信し、前記第２の操作を前記第１の操作に対して変換することによって前記第１の操作と前記第２の操作との間の衝突を解決し、前記第１の操作が前記第２の操作とは異なり、前記第１のメンバーが前記第２のメンバーとは異なる、請求項８に記載のシステム。
【請求項１０】
前記第２の通知が、前記データコレクションのアイテムの順序位置を使用して前記第２の操作を記述し、前記順序位置が、前記第１の操作が前記第２の操作の前に実行されるか、または前記第２の操作の後に実行されるかによって異なるアイテムを参照する、請求項９に記載のシステム。
【請求項１１】
前記コレクション共有コンポーネントが、前記データコレクションの真の状態で前記データコレクションのコピーを維持し、前記第２の通知が前記真の状態を備える、請求項８に記載のシステム。
【請求項１２】
前記第２の通知が、前記第１の操作を実行することによって得られる、前記データコレクションの状態の前記加入者のバージョンに関連する変更の記述を備える、請求項８に記載のシステム。
【請求項１３】
前記コレクション共有コンポーネントが、前記データコレクション内のアイテムのコンテンツの構造に関係なく前記第２の通知を伝搬する、請求項８に記載のシステム。
【請求項１４】
前記第１の通知が、前記データコレクションに実行される操作のタイプ、操作されているアイテムの前記データコレクション内の位置、および前記データコレクションの状態を備える、請求項８に記載のシステム。
【手続補正書】
【提出日】平成26年6月7日(2014.6.7)
【手続補正１】
【補正対象書類名】明細書
【補正対象項目名】０００６
【補正方法】変更
【補正の内容】
【０００６】
「ＵＮＩＶＥＲＳＡＬ  ＭＥＲＣＨＡＮＴ  ＰＬＡＴＦＯＲＭ  ＦＯＲ  ＰＡＹＭＥＮＴ  ＡＵＴＨＥＮＴＩＣＡＴＩＯＮ」と題する２００６年５月２３日付で交付されたＭｉｃｈａｅｌ  Ｋｅｒｅｓｍａｎ、Ｆｒａｎｃｉｓ  Ｓｈｅｒｗｉｎ、およびＣｈａｎｄｒａ  Ｂａｌａｓｕｂｒａｍａｎｉａｎの米国特許第７，０５１，００２号には、通信ネットワークを介して販売者と商取引を行う複数の異なるタイプの支払い手段を使用する消費者の認証を処理する方法が開示されている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第７，１９４，４２６号明細書
（特許文献２）  米国特許第７，７２０，８２０号明細書
（特許文献３）  米国特許第７，０５１，００２号明細書
（特許文献４）  米国特許出願公開第２００６／０２８２３８２号明細書
（特許文献５）  米国特許第６，６１５，２５８号明細書
（特許文献６）  米国特許出願公開第２００９／０２１０３４７号明細書
（特許文献７）  米国特許出願公開第２００６／０００４６７０号明細書
（特許文献８）  米国特許出願公開第２００３／０１５４４０６号明細書
（非特許文献）
（非特許文献１）  Ｉｎｔｅｒｎａｔｉｏｎａｌ  Ｓｅａｒｃｈ  Ｒｅｐｏｒｔ  ｄａｔｅｄ  Ｓｅｐｔｅｍｂｅｒ  １３，２０１１
【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
コンピューティングデバイスによるユーザーインターフェースにおける表示のために、メディアの再生をナビゲートするための、１つまたは複数のコントロールを出力するステップであって、前記コントロールのうちの少なくとも１つは、前記メディアの再生における位置を指定するように操作可能なマーカーを有するシークバーとして構成される、ステップと、
前記コンピューティングデバイスが、カメラを使用して検出された入力を、前記メディアの再生をナビゲートするために前記マーカーを選択することなく前記マーカーにアプローチするためのジェスチャーとして認識するステップと、
前記マーカーを選択しない前記マーカーのアプローチに応答して、前記メディアの再生をナビゲートするために、前記認識するステップの前の前記シークバーの表示と比較して時間量をより詳細に見せるように、前記シークバーの表示を自動的にズームするステップと
を含む方法。
【請求項２】
前記シークバーが、前記メディアの再生の時間における箇所の１つまたは複数のインジケーターを含み、前記方法は、前記マーカーが対応する前記インジケーターの定義された範囲内に配置されるとき、前記コンピューティングデバイスが、前記対応するインジケーターに前記マーカーを位置付けるステップをさらに含む請求項１に記載の方法。
【請求項３】
前記入力によって表された前記マーカーの動きに応答して、前記マーカーによって示された前記メディアの再生の時間における箇所に対応する、前記メディアの縮小版ビューを出力するステップをさらに含む請求項１に記載の方法。
【請求項４】
前記マーカーの動きの間に前記メディアの出力が一時停止される請求項３に記載の方法。
【請求項５】
前記１つまたは複数のコントロールが、再生コントロール、一時停止コントロール、早送りコントロール、巻き戻しコントロール、停止コントロール、前章コントロール、または次章コントロールとして構成される請求項１に記載の方法。
【請求項６】
前記ジェスチャーがユーザーの１つまたは複数の身体部分の位置付けを含む請求項１に記載の方法。
【請求項７】
前記ユーザーインターフェースに前記１つまたは複数のコントロールを出力するステップを開始するために、別の入力を動作として認識するステップをさらに含む請求項１に記載の方法。
【請求項８】
システムであって、
１つまたは複数のプロセッサーと、
コンピューティングデバイスが、カメラを使用して検出された入力を、メディアの再生をナビゲートするために、シークバー中のマーカーを選択することなく該マーカーにアプローチするためのジェスチャーとして認識するステップであって、前記マーカーは前記シークバーによって表されるメディアの再生における位置を表す、認識するステップ、及び、
前記コンピューティングデバイスが、前記入力をシークバー中のマーカーにアプローチするためのジェスチャーとして認識することに応答して、前記メディアの再生における時間量をより詳細に表示するように、前記シークバーの表示を自動的にズームして、前記シークバーの選択をサポートするステップ
を含む動作をシステムに実行させるように前記１つまたは複数のプロセッサーによって実行可能であるコンピューター実行可能命令を格納する、１つまたは複数のコンピューター可読ストレージメモリーと
を備えるシステム。
【請求項９】
前記時間量が、前記マーカーによって表される前記メディアの再生における現在の位置に関連付けられる請求項８に記載の方法。
【請求項１０】
前記マーカーが選択されていないとき、前記時間量は、前記シークバーによって表される前記メディアの再生の合計の時間の長さよりも少ない請求項８に記載の方法。
【請求項１１】
前記シークバーが、前記メディアの再生の時間における箇所の１つまたは複数のインジケーターを含み、前記方法は、前記マーカーが対応する前記インジケーターの定義された範囲内に配置されるとき、前記コンピューティングデバイスによって、前記対応するインジケーターに前記マーカーを位置付けるステップをさらに含む請求項８に記載の方法。
【請求項１２】
前記マーカーの動きに応答して、前記マーカーによって示されたメディアの再生の時間における箇所に対応する、前記メディアの縮小版ビューを出力するステップをさらに含む請求項８に記載の方法。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
可視領域を有する電子ディスプレイと、
表面を有する透明絶縁性基板と、
前記基板の前記表面に配置された少なくとも１つの金属配線微細パターンを含む力検出素子とを有する物品であって、
前記透明絶縁性基板が、前記電子ディスプレイ上に配置され、
前記力検出素子が、前記ディスプレイの前記可視領域を実質的に覆い隠すことなく前記電子ディスプレイの前記可視領域の少なくとも一部分の上に重なる、物品。
【請求項２】
前記力検出素子が、横方向の抵抗ひずみゲージ検出素子を含む、請求項１に記載の物品。
【請求項３】
可視領域を有する電子ディスプレイと、
前記電子ディスプレイの前記可視領域の少なくとも一部分に配置された透明絶縁性基板と、前記電子ディスプレイの前記可視領域の少なくとも一部分に重なる前記基板の表面に配置されたタッチセンサとを含む物品であって、
前記タッチセンサが力検出素子を含み、
前記力検出素子が第１組のマイクロメッシュバンドと第２組のマイクロメッシュバンドとを含み、
前記マイクロメッシュバンドがそれぞれ、金属導体の配線を含み、
前記第１組と第２組のマイクロメッシュバンドが、平面に対して垂直方向に離間された実質的に平行な平面に置かれ、
前記第１組のマイクロメッシュバンドの少なくとも１つのバンドが、前記第２組のマイクロメッシュバンドの少なくとも１つのバンドの上で交差する、物品。
【請求項４】
前記力検出素子が、圧電抵抗材料、圧電材料又は静電容量−力検出素子を有する、請求項３に記載の物品。
【請求項５】
前記力検出素子が、抵抗ひずみゲージ素子を含む、請求項３に記載の物品。
【請求項６】
前記実質的に平行なマイクロメッシュバンドが、約０．５マイクロメートル〜約１０マイクロメートルの幅を有する配線から構成される、請求項３に記載の物品。
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
第１のコンピューティング装置によって、前記第１のコンピューティング装置の局所環境で占有されているチャネルに少なくとも部分的に基づいて複数のチャネルのうちの利用可能チャネルを決定するステップと、
前記第１のコンピューティング装置によって、指数関数的な減衰を有する分布曲線によって定義された利用可能チャネルの選択確率に基づいて前記利用可能チャネルの１つを選択するステップと、
前記第１のコンピューティング装置によって、前記利用可能チャネルのうちの選択された１つのチャネル上にて第２のコンピューティング装置と通信することを試行するステップと
を含み、
前記分布曲線は、前記第２のコンピューティング装置の環境についての利用可能性確率若しくは前記第１のコンピューティング装置と前記第２のコンピューティング装置との間の環境についての利用可能性確率の一方又は両方に少なくとも部分的に基づいている。
方法。
【請求項２】
前記第１のコンピューティング装置及び前記第２のコンピューティング装置が成功裏に通信を行うまで前記選択するステップと前記試行するステップとを実行するステップを更に含むことを特徴とする請求項１に記載の方法。
【請求項３】
通信を試行する合計数が、前記複数のチャネルの合計数とは無関係である、請求項２に記載の方法。
【請求項４】
前記利用可能性確率は、以前の通信の試行に基づいて学習される又は他の装置から受信されることを特徴とする請求項３に記載の方法。
【請求項５】
ｉ番目の利用可能チャネルの選択確率の１つは、ｘがパラメータであるとして、指数関数的に減衰する分布曲線（１−ｘ）ｉ−１ｘによって定義されることを特徴とする請求項１に記載の方法。
【請求項６】
前記ｘは、ｐ２が前記第２のコンピューティング装置の環境についての利用可能性確率であり且つｑが前記第１のコンピューティング装置と前記第２のコンピューティング装置との間の環境についての利用可能性確率であるとして、（１／６）ｐ２ｑによって定義されることを特徴とする請求項１に記載の方法。
【請求項７】
前記ｘが、前記第２のコンピューティング装置の環境及び／又は前記第１のコンピューティング装置と前記第２のコンピューティング装置との間の環境についての利用可能性確率を使わずにランダムに選択される、請求項５に記載の方法。
【請求項８】
ランダムに前記ｘを選択するための分布は、ｉが１／ｉ２に比例した確率で１から始まる正の整数を表す値２−ｉを選択することによって定義されることを特徴とする請求項７に記載の方法。
【請求項９】
前記第１のコンピューティング装置及び前記第２のコンピューティング装置の環境内の利用可能チャネルのマップを第２のコンピューティング装置と交換するステップと、
第２のコンピューティング装置と共に、前記交換されたマップに少なくとも部分的に基づいて更なる通信のための１つの他の利用可能チャネルを選択するステップと、を更に含むことを特徴とする請求項１に記載の方法。
【請求項１０】
前記他の利用可能チャネルは一様に選ばれた相互に利用可能なチャネルであり、前記他の利用可能チャネルは前記複数のチャネルのうち占有されたものの均一な分布を維持するために切り替えられることを特徴とする請求項９に記載の方法。
【請求項１１】
前記決定するステップが、前記複数のチャネルを含む周波数スペクトルをスキャンすることを含む、請求項１に記載の方法。
【請求項１２】
プロセッサと、コンピュータプログラムを記憶しているメモリとを有するコンピューティング装置であって、前記コンピュータプログラムは前記プロセッサに、
前記コンピューティング装置の局所環境で占有されているチャネルに少なくとも部分的に基づいて複数のチャネルのうちの利用可能チャネルを決定するステップと、
指数関数的減衰分布曲線によって定義された利用可能チャネルの選択確率に基づいて前記利用可能チャネルのうちの１つを選択するステップであって、前記指数関数的減衰分布曲線が１つの他のコンピューティング装置の環境についての利用可能性確率若しくは前記コンピューティング装置と前記他のコンピューティング装置との間の環境についての利用可能性確率の一方又は両方に少なくとも部分的に基づいているステップと、
前記利用可能チャネルのうちの選択された１つのチャネル上にて前記他のコンピューティング装置と通信することを試行するステップと
を実行させるためのものである、コンピューティング装置。
【請求項１３】
前記コンピュータプログラムは、前記プロセッサに、前記選択するステップおよび前記試行するステップを、前記コンピューティング装置及び前記他のコンピューティング装置が成功裏に通信を行うまで実行させる、請求項１２に記載のコンピューティング装置。
【請求項１４】
前記コンピュータプログラムは、前記プロセッサに更に、
前記コンピューティング装置及び前記他のコンピューティング装置の環境内の利用可能チャネルのマップを前記他のコンピューティング装置と交換するステップと、
前記他のコンピューティング装置と共に、前記交換されたマップに少なくとも部分的に基づいて更なる通信のための１つの他の利用可能チャネルを選択するステップと、を実行させるためのものであり、
前記他の利用可能チャネルが一様に選ばれた相互に利用可能なチャネルであり、複数のチャネルの占有されたものの均一な分布を維持するために切り替えられる、請求項１２に記載のコンピューティング装置。
【請求項１５】
コンピューティング装置の局所環境で占有されているチャネルに少なくとも部分的に基づいて複数のチャネルのうちの利用可能チャネルを決定するステップと、
成功裏に１つ他のコンピューティング装置と通信するまで、
前記他のコンピューティング装置の環境についての並びに前記コンピューティング装置と前記他のコンピューティング装置との間の環境についての利用可能性確率に少なくとも部分的に基づいている指数関数的減衰分布曲線によって定義された利用可能チャネルの選択確率に基づいて前記利用可能チャネルのうちの１つを選択し、
前記利用可能チャネルのうちの選択された１つのチャネル上にて前記他のコンピューティング装置と通信することを試行する
ステップと、
前記コンピューティング装置及び前記他のコンピューティング装置の環境内の利用可能チャネルのマップを前記他のコンピューティング装置と交換するステップと、
前記他のコンピューティング装置と共に、前記交換されたマップに少なくとも部分的に基づいて更なる通信のための１つの他の利用可能チャネルを選択するステップと
を前記コンピューティング装置に実行させるためのコンピュータプログラム。
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
電気機械変換器であって、
該変換器は、少なくとも１つの誘電エラストマー層（１）、電極（２、３）および少なくとも１つのエレクトレット層（４、５）を有し、
該誘電エラストマー層（１）は該少なくとも１つのエレクトレット層（４）に接触し、
該少なくとも１つのエレクトレット層（４）は、電荷を有し、第１の電極（２）と接触し、および、
第２の電極（３）は、該第１の電極（２）とは反対の誘電エラストマー層（１）の面に配置されることを特徴とする、該電気機械変換器。
【請求項２】
誘電エラストマー層（１）が、第１のエレクトレット層（４）と接触する反対の面で第２のエレクトレット層（５）と接触し、
該第１のエレクトレット層（４）および該第２のエレクトレット層（５）が反対の電荷を有し、および
該第１のエレクトレット層（４）が第１の電極（２）と接触し、および該第２のエレクトレット層（５）が、第２の電極（３）と接触することを特徴とする、請求項１に記載の電気機械変換器。
【請求項３】
誘電エラストマー層（１）の面の少なくとも１つが、
隆起（６）および窪み（７）を備える波状の断面外形を少なくとも１方向に沿って有することを特徴とする、請求項１または２に記載の電気機械変換器。
【請求項４】
少なくとも１つのエレクトレット層（４）と接触する面と、その面とは反対の誘電エラストマー層（１）の面が、同じ方向に沿って隆起（６）および窪み（７）を備える波状の断面外形を有し、および
１つの面の外形における隆起（６）および窪み（７）が、
該誘電エラストマー層（１）の他の面の外形の隆起（６）および窪み（７）に対して更に平行に走ることを特徴とする、請求項３に記載の電気機械変換器。
【請求項５】
少なくとも１つのエレクトレット層（４）および／または少なくとも１つの第１の電極（２）が、誘電エラストマー層（１）の接触面における波状の断面外形と一致する波状の断面外形を少なくとも１方向に沿って有することを特徴とする、請求項３に記載の電気機械変換器。
【請求項６】
誘電エラストマー層（１）が、ポリウレタンポリマー、シリコーンポリマーおよび／またはアクリレートポリマーを含有することを特徴とする、請求項１から５のいずれかに記載の電気機械変換器。
【請求項７】
少なくとも１つのエレクトレット層（４）が、ポリカーボネート、パーフッ素化または部分フッ素化ポリマーおよびコポリマー、ポリテトラフルオロエチレン（ＰＴＦＥ）、フルオロエチレンプロピレン（ＦＥＰ）、パーフルオロアルコキシエチレン（ＰＦＡ）、ポリエステル、ポリエチレンテレフタレート（ＰＥＴ）、ポリエチレンナフタレート（ＰＥＮ）、ポリイミド、ポリエーテルイミド、ポリエーテル、ポリメチル（メタ）アクリレート、シクロオレフィンポリマー、シクロオレフィンコポリマー（ＣＯＣ）、ポリオレフィン、ポリプロピレンおよびそれらのポリマーの混合物を含有する群から選択されるポリマーを含有することを特徴とする、請求項１から６のいずれかに記載の電気機械変換器。
【請求項８】
以下の工程を含む、請求項１から７のいずれか１つに記載の電気機械変換器の製造方法：
（ａ１）誘電エラストマー層（１）を提供し、
（ｂ１）該誘電エラストマー層（１）を第１のエレクトレット層（４）と接触させ、
（ｃ１）得られた配置を帯電させ、該第１のエレクトレット層（４）が電荷を帯び、
（ｄ１）該第１のエレクトレット層（４）と第１の電極（２）を接触させ、および
（ｅ１）第２の電極を、該第１の電極（２）とは反対の該誘電エラストマー層（１）の面に配置する。
【請求項９】
アクチュエーター、センサおよび発電機としての請求項１から７のいずれか１つに記載の電気機械変換器の使用。
【請求項１０】
請求項１から７のいずれか１つに記載の電気機械変換器を含有するアクチュエーター、センサおよび発電機。
【請求項１１】
電気エネルギーを得るための方法であって、
（ａ２）発電機を提供し、
この場合において、発電機要素は、長手方向と厚さ方向を有し、および長手方向に配置される少なくとも１つのエレクトレット層、または長手方向に配置される複数の対向するエレクトレット層を有し、
発電機要素の厚み方向におけるエレクトレット層内で電荷分離が生じ、このエレクトレット層を厚み方向における反対面において電極と接触させ、または
エレクトレット層は電荷を有し、このエレクトレット層を厚み方向における反対面において電極と接触させるか、または
エレクトレット層は電荷を有し、更なるエレクトレット層は同一または異なる電荷を有し、これらのエレクトレット層をそれぞれ電極に接触させ、
（ｂ２）長手方向に沿って発電機要素を膨張させ、電極から電荷を導き、および
（ｃ２）長手方向に沿って発電機要素を緩和し、電極から電荷を導く、
工程を含む、電気エネルギーを得るための方法。
【請求項１２】
発電機要素が、請求項１から７のいずれか１つに記載の電気機械変換器であることを特徴とする、請求項１１に記載の方法。
【手続補正書】
【提出日】平成26年5月23日(2014.5.23)
【手続補正１】
【補正対象書類名】明細書
【補正対象項目名】０００３
【補正方法】変更
【補正の内容】
【０００３】
合成質（金属、セラミックス、ポリマー）または天然（キトサン、デキストラン、プルラン）、グリコアミノグリカン（ＧＡＧ）またはコラーゲンの多数の代替材料が文献に提案されている。生体材料の品質基準は、それらの使用容易性、それらの機械的特性およびそれらの生物内での動態（拒絶または分解、接着および細胞コロニー化、リモデリング）により決定される。
【手続補正２】
【補正対象書類名】明細書
【補正対象項目名】００１０
【補正方法】変更
【補正の内容】
【００１０】
本発明者らは、高濃度におけるコラーゲンを用いて、その濃度に結びつく超分子オーダーの確立を制御することおよびゾル／ゲル転移の間安定化することにより作業して高密度フィブリル状マトリックスをもたらすことを可能とする技術を開発した。本発明者らは、４０ｍｇ／ｍＬのコラーゲンを有するマトリックスがそれらの細胞および機械的応答に関して特に有用な特性を有することも実証した。それらのマトリックスは、メタロプロテイナーゼによるコラーゲンの加水分解後にそれらの表面において播種された繊維芽細胞によりインビトロでコロニー化される。２８日間の培養後、増殖とアポトーシスとの間の平衡から生じるマトリックス内に存在する細胞の数は、生存組織のものと同様である（Ｈｅｌａｒｙ  ｅｔ  ａｌ．Ｂｉｏｍａｔｅｒｉａｌｓ，（２００５），２６  ｐ．１５３３−１５４３；Ｈｅｌａｒｙ  ｅｔ  ａｌ．Ｂｉｏｍａｔｅｒｉａｌｓ（２００６）２７：４４４３−４４５４）。単軸圧縮下での機械的応答はラット真皮の対照試料と等価の結果を生成し、そのことはそれらの材料を組織修復において使用することができることを示唆する（Ｒａｍｔａｎｉ  ｅｔ  ａｌ．ＪＭＭＢ，２０１０）。
【手続補正３】
【補正対象書類名】明細書
【補正対象項目名】００４８
【補正方法】変更
【補正の内容】
【００４８】
体重２５０ｇのＷｉｓｔａｒラット（Ｗｉ／Ｗｉ，Ｃｈａｒｌｅｓ−Ｒｉｖｅｒｓ  Ｆｒａｎｃｅ）に、ペントバルビタールナトリウム溶液（３０ｍｇ／ｋｇ，Ｃｅｎｔｒａｖｅｔ  Ｆｒａｎｃｅ）を使用して麻酔をかける。腹部を剃り、消毒し、正中線開腹を実施する。２つのポケットを正中線の両側に作出し：一方を皮下、他方は筋肉内に作出する。次いで、４０から３００ｍｇ／ｍＬで変動する濃度の高密度コラーゲンマトリックスを移植する。筋肉内のポケットを再度閉じ、次いで皮膚中のポケットを再度閉じる（Ｖｉｃｒｙｌ（商標）４／０）。図５参照。移植１５、３０または６０日後、過剰のペントバルビタールナトリウムを使用してラットを安楽死させ、ＤＭを外植し、４％パラホルムアルデヒド（Ｍｅｒｃｋ  Ｆｒａｎｃｅ）中で固定する。次いで試料をパラフィン中に包埋する。
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
埋め込み型脳脊髄液（ＣＳＦ）シャントにおけるＣＳＦ流量を決定するための装置において、
ＣＳＦシャントの位置の上方において患者の皮膚に接して置かれるパッドであって、該パッドには、
ＣＳＦシャントに対して横断方向に整合する第１の複数の温度センサであって、第１の複数の温度センサの内の１つは、ＣＳＦシャントと整合する、前記第１の複数の温度センサと、
第１の複数の温度センサの下流側において、ＣＳＦシャントに対して横断方向に整合する第２の複数の温度センサであって、第２の複数の温度センサの内の１つは、ＣＳＦシャントと整合する、前記第２の複数の温度センサと、
パッドが皮膚に接して置かれる時はいつでも、ＣＳＦシャントの上方に位置決めされる温度源に付随する第３の複数の温度センサと、
が含まれる、前記パッドと、
パッドに電気的に結合され、複数の温度センサの各々から温度データを受信するとともに、温度源がパッドに貼付されるときに、ＣＳＦシャントを通過するＣＳＦの流量を決定するためのセンサ処理装置であって、温度データを用いて、第１の複数の温度センサ、第２の複数の温度センサ及び第３の複数の温度センサによって収集された温度データからＣＳＦ埋め込みの皮膚埋め込み深さ、皮膚熱伝導率及び皮膚熱拡散率の影響を除去する、前記センサ処理装置と、
が含まれる装置。
【請求項２】
センサ処理装置は、第１の複数の温度センサの下流側に配置された第２の複数の温度センサによって検出された最大温度低下と、該最大温度低下が起こるのに要した時間との比を計算することによって、ＣＳＦ埋め込みの皮膚埋め込み深さの影響を除去する、請求項１に記載の装置。
【請求項３】
第１の複数の温度センサ及び第２の複数の温度センサの各々には、埋め込み型ＣＳＦの両側に配置された温度センサが含まれ、センサ処理装置は、第２の複数の温度センサの内の第１温度センサの検出温度値から第２の複数の温度センサの内の第２温度センサ及び第３温度センサの検出温度値の平均値を減算する、請求項２に記載の装置。
【請求項４】
センサ処理装置は、所定時間にわたる温度源の温度が、所定時間後の定常状態位置における温度センサからの温度値によって除算された値を検出する、請求項２に記載の装置。
【請求項５】
センサ処理装置は、温度源によって吸収された熱対皮膚熱伝導率の比を、時間領域勾配を形成する直交軸における２階偏導関数に加算することによって、皮膚熱拡散率を決定する、請求項４に記載の装置。
【請求項６】
温度源は、第１の複数の温度センサの上流側においてパッド上に位置決めされる、請求項１に記載の装置。
【請求項７】
温度源が、ペルチェ素子である、請求項１に記載の装置。
【請求項８】
ペルチェ素子が、加熱装置である、請求項７に記載の装置。
【請求項９】
パッドには、皮膚に固定するための接着材が含まれる、請求項１に記載の装置。
【請求項１０】
温度センサの各々は、サーミスタである、請求項１に記載の装置。
【請求項１１】
調整可能シャント弁付きの埋め込み型脳脊髄液（ＣＳＦ）シャントを有する患者の頭蓋内圧力（ＩＣＰ）を決定するための装置において、
複数の温度センサ及び温度源が含まれるパッドであって、該パッドは、埋め込み型ＣＳＦの一部の上方において患者の皮膚に固定するのに適合可能であり、複数の温度センサは、ＣＳＦシャントのＣＳＦに導入される温度パルスの動作を検出する、前記パッドと、
パッドに電気的に結合され、複数の温度センサの各々から温度データを受信するとともに、ＣＳＦ流有り状態又はＣＳＦ流無し状態をオペレータに表示するためのセンサ処理装置と、
調整可能シャント弁を調整するためのリモートコントローラと、
が含まれ、
装置のオペレータは、センサ処理装置を監視して、何らかのＣＳＦ流があるか否かを判断し、オペレータは、リモートコントローラを用いて、調整可能シャント弁の開口弁圧力を現在の弁圧力から既知の開口圧力に変化させ、以前は流れていなかったＣＳＦ流の起動又は現在のＣＳＦ流の停止のいずれかを行い、また、これらのシナリオのいずれかから、既知の開口圧力に基づきＩＣＰを決定する装置。
【請求項１２】
調整可能シャント弁付きの埋め込み型脳脊髄液（ＣＳＦ）シャントにおけるＣＳＦ流を制御するための装置において、
複数の温度センサ及び温度源が含まれるパッドであって、該パッドは、埋め込み型ＣＳＦの一部の上方において患者の皮膚に固定するのに適合可能であり、複数の温度センサは、ＣＳＦシャントのＣＳＦに導入される温度パルスの動作を検出する、前記パッドと、
パッドに電気的に結合され、複数の温度センサの各々から温度データを受信するとともに、ＣＳＦ流有り状態又はＣＳＦ流無し状態をオペレータに表示するためのセンサ処理装置と、
調整可能シャント弁を調整するためのリモートコントローラと、
が含まれ、
装置のオペレータは、センサ処理装置を監視して、ＣＳＦシャントにおけるＣＳＦの流量を決定し、また、リモートコントローラを用いて、調整可能シャント弁の開口弁圧力を変化させて所望のＣＳＦ流量を達成する装置。
【請求項１３】
埋め込み型脳脊髄液（ＣＳＦ）シャントにおけるＣＳＦ流量を決定するための装置にお
いて、
ＣＳＦシャントの位置の上方において患者の皮膚に接して置かれるパッドであって、該パッドには、
ＣＳＦシャントに対して横断方向に整合する第１の複数の温度センサであって、第１の複数の温度センサの内の１つは、ＣＳＦシャントと整合する、前記第１の複数の温度センサと、
パッドが皮膚に接して置かれる時はいつでも、ＣＳＦシャントの上方に位置決めされる温度源に付随する少なくとも１つの温度センサであって、温度源は、連続的に皮膚に接して貼付される、前記少なくとも１つの温度センサと、
が含まれる、前記パッドと、
パッドに電気的に結合され、温度源の連続貼付中に、温度センサの各々から温度データを受信するとともに、温度データからＣＳＦシャントを通過するＣＳＦ流量を決定するためのセンサ処理装置と、
が含まれる装置。
【請求項１４】
センサ処理装置は、温度源の起動を制御する、請求項１３に記載の装置。
【請求項１５】
前記温度は、皮膚温度と７℃乃至１４℃だけ異なる、請求項１４に記載の装置。
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
マイナス鎖の分節化したＲＮＡウィルスの生産方法であって、
ａ）いかなる増幅及び／又は選択配列も含まない線状発現コンストラクトを提供する工程、このコンストラクトは、ＲＮＡポリメラーゼＩ（polI）プロモーター及びpolI終結シグナルを含み、両者はＲＮＡポリメラーゼＩＩ（polII）プロモーター及びポリアデニル化シグナルの間に挿入されており、このコンストラクトはさらに、polIプロモーター及びpolI終結シグナルの間に挿入されたＨＡ及び／又はＮＡ遺伝子分節を含む、
ｂ）宿主細胞を前記線状発現コンストラクトでトランスフェクションする工程、
ｃ）前記宿主細胞を、ヘルパーウィルスＨＡ及び／又はＮＡタンパク質を有するヘルパーウィルスで感染させる工程、その際、前記ＮＡタンパク質は、Ｎ末端の細胞質ドメイン内に少なくとも１のアミノ酸改変を含む、
ｄ）前記宿主細胞を培養して、ウィルス粒子を増殖させる工程、
ｅ）
（ｉ）前記線状発現コンストラクト由来の前記ＨＡ及び／又はＮＡタンパク質を含むが、
（ｉｉ）前記ヘルパーウィルスＨＡ及びＮＡタンパク質、又はこの分節を含まない、ウィルス粒子を選択する工程、
その際、前記選択は、前記ＨＡ及び／又はＮＡタンパク質のフェノタイプの、ゲノタイプの又は抗原の特性に基づく、及び任意に
ｆ）ヘルパーウィルスＨＡ及びＮＡタンパク質の非存在を、核酸又はアミノ酸配列の分析により決定する工程
を含む生産方法。
【請求項２】
宿主細胞が、ＰＢ１、ＰＢ２、ＰＡ、ＮＳ、Ｍ及びＮＰからなる群から選択されるタンパク質をコードする線状コンストラクトでトランスフェクションされる請求項１記載の方法。
【請求項３】
前記ヘルパーウィルス由来のＨＡタンパク質を含む子孫ウィルス粒子が、子孫ウィルス粒子をプロテアーゼで処理することにより候補ウィルス粒子から分離され、その際、前記プロテアーゼは、ヘルパーウィルス由来のＨＡタンパク質を切断しないが、前記候補ウィルス粒子のＨＡタンパク質を切断する請求項１又は２記載の方法。
【請求項４】
前記プロテアーゼが、トリプシン、エラスターゼ、キモトリプシン、パパインからなる群から選択される請求項１から３のいずれか１項記載の方法。
【請求項５】
ヘルパーウィルスのＨＡタンパク質が、プロテアーゼにより切断されるように改変され、その際、前記プロテアーゼがトリプシンでない請求項１又は２記載の方法。
【請求項６】
ヘルパーウィルス起源のＨＡ及びＮＡタンパク質を含む子孫ウィルス粒子が、低ｐＨ条件を提供することにより候補ウィルス粒子から分離される請求項１又は３記載の方法。
【請求項７】
ヘルパーウィルス起源のＨＡ及び／又はＮＡタンパク質を含む子孫ウィルス粒子が、この子孫ウィルスと、前記ＨＡ及び／又はＮＡタンパク質に結合する抗体とを接触させることにより候補ウィルス粒子から分離される請求項１から６のいずれか１項記載の方法。
【請求項８】
ヘルパーウィルスＮＡタンパク質が、配列番号１０の番号付けに応じた配列に比較してＮ末端アミノ酸１〜６の少なくとも１の欠失を含む請求項１から７のいずれか１項記載の方法。
【請求項９】
前記ヘルパーウィルスＮＡタンパク質が、配列番号１０の番号付けに応じた配列に比較してＮ末端アミノ酸２〜６の欠失を含む請求項１から８のいずれか１項記載の方法。
【請求項１０】
前記ヘルパーウィルスが、減少した活性を有するＮＡタンパク質を含むか、又は機能的ＮＡタンパク質を欠損する請求項１から９のいずれか１項記載の方法。
【請求項１１】
前記ヘルパーウィルスが、インフルエンザＣウィルスのＨＥＦタンパク質を含む請求項１から１０のいずれか１項記載の方法。
【請求項１２】
前記ヘルパーウィルスのＨＥＦタンパク質が、プロテアーゼにより切断されるように改変され、その際、前記プロテアーゼがトリプシンでない請求項１０記載の方法。
【請求項１３】
前記ヘルパーウィルスが、コロナウィルスのＨＡタンパク質を含む請求項１から１０のいずれか１項記載の方法。
【請求項１４】
前記ウィルス粒子が、インフルエンザウィルス粒子である請求項１から１３のいずれか１項記載の方法。
【請求項１５】
前記ウィルス粒子が、弱毒したインフルエンザウィルス粒子である請求項１から１４のいずれか１項記載の方法。
【請求項１６】
前記ウィルスが、ＮＳ１遺伝子内で欠失又は改変を含む請求項１から１５のいずれか１項記載の方法。
【請求項１７】
前記ヘルパーウィルスが、改変したか又は欠失したＮＳ遺伝子を含み、かつ、インターフェロンコンピテント細胞において成長不全である請求項１から１６のいずれか１項記載の方法。
【請求項１８】
前記ヘルパーウィルスが、生産すべきウィルスに対して同一である、少なくとも４、好ましくは少なくとも５、好ましくは６の分節を含む請求項１から１７のいずれか１項記載の方法。
【請求項１９】
エラスターゼ切断部位を有するＨＡタンパク質及び少なくとも１のアミノ酸改変をＮ末端の細胞質ドメイン内に有するＮＡタンパク質を含むヘルパーウィルス。
【請求項２０】
前記ＮＡタンパク質のＮ末端アミノ酸２〜６が欠失している請求項１９記載のヘルパーウィルス。
【請求項２１】
ＨＡ及びＮＡタンパク質が、Ａ／ニューカレドニア／２０／９９に起源を有し、かつ、ＨＡタンパク質がエラスターゼ切断部位を含み、ＮＡタンパク質が末端アミノ酸２〜６の欠失を含むヘルパーウィルス。
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
アミノ酸配列：
ＧＸ１ＲＰＸ２Ｘ３Ｘ４Ｘ５ＧＧＸ６（配列番号１）
（ここで、
Ｘ１はＲ及びＡからなる群から選択されるアミノ酸であり、
Ｘ２は除外されるか、又はＬ及びＶからなる群から選択されるアミノ酸であり、
Ｘ３は除外されるか、又は１個〜５個のアミノ酸からなるアミノ酸配列であり、
Ｘ４は除外されるか、又はＧＧからなるアミノ酸配列であり、
Ｘ５はＡ、Ｉ及びＳからなる群から選択される２つのアミノ酸であり、
Ｘ６は除外されるか、又は１個〜５個のアミノ酸からなるアミノ酸配列である）からなるペプチド。
【請求項２】
Ｒｈｏ  ＧＴＰアーゼの活性を阻害することが可能である、請求項１に記載のペプチド。
【請求項３】
Ｘ１がＲである、請求項１又は２のいずれか一項に記載のペプチド。
【請求項４】
Ｘ２がＬ又はＶである、請求項１〜３のいずれか一項に記載のペプチド。
【請求項５】
Ｘ３がＰＰＰである、請求項１〜４のいずれか一項に記載のペプチド。
【請求項６】
Ｘ４がＧＧである、請求項１〜５のいずれか一項に記載のペプチド。
【請求項７】
Ｘ５がＩＳ又はＡＳである、請求項１〜６のいずれか一項に記載のペプチド。
【請求項８】
Ｘ６が除外される、請求項１〜７のいずれか一項に記載のペプチド。
【請求項９】
Ｘ１がＲであり、Ｘ２がＬであり、Ｘ３が除外され、Ｘ５がＩＳであり、Ｘ６が除外されるか、又はＸ１がＲであり、Ｘ２がＶであり、Ｘ３が除外され、Ｘ５がＩＳであり、Ｘ６が除外される、請求項１〜８のいずれか一項に記載のペプチド。
【請求項１０】
上記ペプチドが、
ＧＲＲＰＬＧＧＩＳＧＧ（配列番号３）、
ＧＲＲＰＶＧＧＩＳＧＧ（配列番号６）、
ＧＲＲＰＬＩＳＧＧ（配列番号４）、
ＧＲＲＰＶＩＳＧＧ（配列番号７）、
ＧＲＲＰＬＰＰＰＩＳＧＧ（配列番号８）、
ＧＲＲＰＶＰＰＰＩＳＧＧ（配列番号９）、
ＧＲＲＰＬＧＧＡＡＧＧ（配列番号１０）、
ＧＲＲＰＶＧＧＡＡＧＧ（配列番号１１）、
ＧＲＲＰＬＰＰＰＡＡＧＧ（配列番号１２）、
ＧＲＲＰＶＰＰＰＡＡＧＧ（配列番号１３）、
ＧＲＲＰＬＧＧＡＳＧＧ（配列番号１４）、
ＧＲＲＰＶＧＧＡＳＧＧ（配列番号１５）、
ＧＲＲＰＬＰＰＰＡＳＧＧ（配列番号１６）、
ＧＲＲＰＶＰＰＰＡＳＧＧ（配列番号１７）、
ＧＲＲＰＬＧＧＩＡＧＧ（配列番号１８）、
ＧＲＲＰＶＧＧＩＡＧＧ（配列番号１９）、
ＧＲＲＰＬＰＰＰＩＡＧＧ（配列番号２０）、
ＧＲＲＰＶＰＰＰＩＡＧＧ（配列番号２１）、
ＧＡＲＰＬＧＧＩＳＧＧ（配列番号２２）、
ＧＡＲＰＶＧＧＩＳＧＧ（配列番号２３）、
ＧＡＲＰＬＰＰＰＩＳＧＧ（配列番号２４）、
ＧＡＲＰＶＰＰＰＩＳＧＧ（配列番号２５）、
ＧＡＲＰＬＧＧＡＡＧＧ（配列番号２６）、
ＧＡＲＰＶＧＧＡＡＧＧ（配列番号２７）、
ＧＡＲＰＬＰＰＰＡＡＧＧ（配列番号２８）、
ＧＡＲＰＶＰＰＰＡＡＧＧ（配列番号２９）、
ＧＡＲＰＬＧＧＡＳＧＧ（配列番号３０）、
ＧＡＲＰＶＧＧＡＳＧＧ（配列番号３１）、
ＧＡＲＰＬＰＰＰＡＳＧＧ（配列番号３２）、
ＧＡＲＰＶＰＰＰＡＳＧＧ（配列番号３３）、
ＧＡＲＰＬＧＧＩＡＧＧ（配列番号３４）、
ＧＡＲＰＶＧＧＩＡＧＧ（配列番号３５）、
ＧＡＲＰＬＰＰＰＩＡＧＧ（配列番号３６）、及び
ＧＡＲＰＶＰＰＰＩＡＧＧ（配列番号３７）
からなる群から選択されるアミノ酸配列からなる、請求項１〜９のいずれか一項に記載のペプチド。
【請求項１１】
請求項１〜１０のいずれか一項に記載のペプチドをコードするポリヌクレオチド。
【請求項１２】
医薬品として使用される請求項１〜１０のいずれか一項に記載のペプチド又は請求項１１に記載のポリヌクレオチド。
【請求項１３】
請求項１〜１０のいずれか一項に記載のペプチド及び／又は請求項１１に記載のポリヌクレオチドを含み、必要に応じて薬学的に許容される担体及び／又は希釈剤を更に含む、医薬組成物。
【請求項１４】
上皮又は内皮のバリア機能の局所的な又は全身の破壊に関連する疾患又は障害を治療又は予防するのに使用され、
前記疾患又は障害が、急性肺障害（ＡＬＩ）、急性腎障害（ＡＫＩ）、急性呼吸窮迫症候群（ＡＲＤＳ）、人工呼吸器誘発肺障害（ＶＩＬＩ）、全身性炎症反応症候群（ＳＩＲＳ）、敗血症、火傷、多臓器不全症候群（ＭＯＤＳ）、及び浮腫からなる群から選択される、
請求項１〜１０のいずれか一項に記載のペプチド、請求項１１に記載のポリヌクレオチド、又は請求項１３に記載の医薬組成物。
【請求項１５】
投与経路が非経口経路又は経口経路である、請求項１２又は１４に記載のペプチド、請求項１２又は１４に記載のポリヌクレオチド、又は請求項１３又は１４に記載の医薬組成物。
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
身体内に引入されて先端部分が患部に接するように固定されて、内側には移動経路が形成されるフレームと、
前記フレームの移動経路に沿って移動されて前記患部に接近可能であり、前記患部を治療する少なくとも一つの治療ユニットと、及び
前記少なくとも一つの治療ユニットを駆動させるための駆動力を発生させる駆動部とを含んで、
前記フレームは、前記身体内部の形状によって形態が変わるか、または撓うように形成されたことを特徴とする手術用医療機器。
【請求項２】
前記フレームは、前記身体内部に前記フレームが引入されるうちに前記フレームの外面と接触する前記身体内部の形状によって前記フレームの形態が変わるか、または撓うことができるようにお互いに重なるように提供された複数個の可変部材を含む、請求項１に記載の手術用医療機器。
【請求項３】
前記フレームの長さ方向両端のうちで何れか一端は、隣合う前記可変部材の内側に挿入されて、他の一端には隣合う前記可変部材の外側が挿入されることを特徴とする請求項２に記載の手術用医療機器。
【請求項４】
前記可変部材には前記移動経路に向けて突き出された突起がさらに形成されて、前記突起には作動ワイヤが挿入される通孔が形成されたことを特徴とする請求項３に記載の手術用医療機器。
【請求項５】
前記突起は、前記移動経路の上部及び下部に向けて見合わせるように形成されるか、または前記移動経路の中心を通る線に対して直交する方向に突き出形成されたことを特徴とする請求項４に記載の手術用医療機器。
【請求項６】
前記作動ワイヤの一端は、前記突起に形成された前記通孔を通過して、前記フレームの先端または前記フレームの一端に装着されたフレームキャップに連結されて、他端は、前記フレームの他端側に提供されて、前記可変部材の曲げ程度を調節するベンディング調節部に連結されることを特徴とする請求項５に記載の手術用医療機器。
【請求項７】
前記ベンディング調節部には、前記可変部材の変形状態または曲げ状態を維持するためのロッキング手段が形成されたことを特徴とする請求項５に記載の手術用医療機器。
【請求項８】
前記ロッキング手段は、前記ベンディング調節部によって前記作動ワイヤのうちで何れか一つが引かれながら前記フレームが撓った状態で前記作動ワイヤを結束して、前記フレームがひろがることを防止することを特徴とする請求項７に記載の手術用医療機器。
【請求項９】
前記ロッキング手段は、前記作動ワイヤを結束した状態で前記ベンディング調節部に隣接した前記可変部材と接触することを特徴とする請求項８に記載の手術用医療機器。
【請求項１０】
前記ロッキング手段は、前記作動ワイヤを結束するクランプまたは前記作動ワイヤに形成された溝に系止されるホックを含むことを特徴とする請求項８に記載の手術用医療機器。
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
（１）噴霧ヘッドを含む吐出容器と、（２）前記容器から噴霧するための組成物と、を含む、悪臭処理用エアゾールアセンブリであって、
前記組成物は、１００重量％を基準として、
（ａ）０．０１から１０重量％の少なくとも１つの芳香剤成分と、
（ｂ）０．１から５重量％の圧縮ガス噴射剤と、
（ｃ）０．０１から約５重量％の緩衝系と、
（ｄ）０．１から１０重量％の少なくとも１つのアルキレングリコールと、
（ｅ）０．１から４重量％の少なくとも１つの界面活性剤であって、前記少なくとも１つの界面活性剤の１つ以上が、７から２０の親水親油バランス（ＨＬＢ）を有する界面活性剤と、
（ｆ）残部の水と、
を含み、
前記組成物は、前記組成物１００重量％を基準として、５．０％未満の揮発性有機化合物成分を有し、
前記容器の圧力は、室温で初期に１３０から１８０ｐｓｉｇの範囲であり、前記組成物の寿命の期間にわたって直線的な割合で下降し、前記組成物は、前記容器から０．５ｇ／ｓｅｃから２．５ｇ／ｓｅｃの噴霧速度で、前記組成物の寿命の１００％から５０％の期間にわたって６０から８０ミクロンの質量中央径を有するエアゾール粒子として、前記組成物の寿命の５０％から１０％の期間にわたって９０から１００ミクロンの質量中央径を有するエアゾール粒子として吐出される、悪臭処理用エアゾールアセンブリ。
【請求項２】
（ａ）（１）基部容器と、
（２）バルブとアクチュエータを含む噴霧ヘッドと、
を有するエアゾール噴霧ディスペンサーと、
（ｂ）前記基部容器に存在する悪臭処理用組成物であって、前記組成物は１００重量％を基準とし、前記組成物１００重量％を基準として５％未満の揮発性有機成分を有する単相組成物であり、
（１）０．０１から１０重量％の少なくとも１つの芳香剤成分と、
（２）０．１から５重量％の圧縮ガス噴射剤と、
（３）０．１から１０重量％の少なくとも１つのアルキレングリコールと、
（４）０．１から４重量％の少なくとも１つの界面活性剤であって、前記少なくとも１つの界面活性剤の１つ以上が７から２０の親水親油バランス（ＨＬＢ）を有する界面活性剤と、
（５）残部の水と、を含む組成物と、
を含む悪臭処理用エアゾールアセンブリであって、
前記組成物のｐＨが４から８であり、
前記ディスペンサーは室温で当初１３０から１８０ｐｓｉｇの内部圧力を有し、
前記噴霧ヘッドは、前記組成物の製品寿命の前半の期間にわたって６０から８０ミクロンの粒子サイズを、前記組成物の製品寿命の５０％から１０％に期間にわたっては９０から１００ミクロンの粒子サイズを有する、分かれた粒子として前記ディスペンサーの成分を噴霧するように構成、及び配置され、
前記噴霧ヘッドは、０．５から２．５ｇ／ｓｅｃの噴霧速度で前記組成物を噴霧するように構成、及び配置される、悪臭処理用エアゾールアセンブリ。
【請求項３】
前記前記組成物は単相組成物である、請求項１のエアゾールアセンブリ。
【請求項４】
前記組成物が如何なる低分子量の１価アルコールも含まない請求項１又は２のエアゾールアセンブリ。
【請求項５】
前記少なくとも１つのアルキレングリコールが０．１から５重量％の量で存在する請求項１又は２のエアゾールアセンブリ。
【請求項６】
前記少なくとも１つのアルキレングリコールがプロピレングリコール、トリエチレングリコール、又はプロピレングリコールとトリエチレングリコールである請求項１又は２のエアゾールアセンブリ。
【請求項７】
前記圧縮ガス噴射剤が０．１から３．５重量％で含まれる請求項１又は２のエアゾールアセンブリ。
【請求項８】
緩衝系をさらに含む請求項２のエアゾールアセンブリ。
【請求項９】
前記緩衝系がクエン酸と、アルカリ金属のクエン酸塩、リン酸水素二カリウム、リン酸二水素カリウム、重炭酸ナトリウム及びアルカリ金属の水酸化物の少なくとも１つである請求項１又は８のエアゾールアセンブリ。
【請求項１０】
前記ＨＬＢが９から１８である請求項１又は２のエアゾールアセンブリ。
【請求項１１】
前記少なくとも１つの界面活性剤が、水素添加ひまし油エトキシレートと第二級アルコールエトキシレートである請求項１又は２のエアゾールアセンブリ。
【請求項１２】
前記圧縮ガス噴射剤が、窒素、空気、亜酸化窒素、二酸化炭素、不活性ガス、又はそれら混合物である請求項１又は２のエアゾールアセンブリ。
【請求項１３】
前記少なくとも１つのアルキレングリコールが０．１から３．０重量％のトリエチレングリコールと０．１から３．０重量％のプロピレングリコールを含む請求項１又は２のエアゾールアセンブリ。
【請求項１４】
前記噴霧速度は、０．７５から２．２５ｇ／ｓｅｃである、請求項１又は２のエアゾールアセンブリ。
【請求項１５】
前記噴霧速度は、１から２ｇ／ｓｅｃである、請求項１又は２のエアゾールアセンブリ。
【請求項１６】
（ａ）０．１から１０重量％の少なくとも１つのアルキレングリコールと、
（ｂ）０．１から４重量％の少なくとも１つの界面活性剤であって、前記少なくとも１つの界面活性剤の１つ以上が、７から２０の親水親油バランス（ＨＬＢ）を有する界面活性剤と、
（ｃ）０．１から５重量％の圧縮ガス噴射剤と、
（ｄ）０．０１から５重量％の緩衝系と、
（ｅ）０．０１から１０重量％の少なくとも１つの芳香剤と、
（ｆ）残部の水と、を含み、
前記組成物が単層組成物であり、前記組成物１００重量％を基準として、５．０％未満の揮発性有機化合物成分を含み、
前記少なくとも１つの芳香剤は、少なくとも１つの界面活性剤、又は（ｉｉ）少なくとも１つのアルキレングリコール、又は（ｉｉｉ）少なくとも１つの界面活性剤及び少なくとも１つのアルキレングリコールにより安定化され、
前記組成物のｐＨが４から８である、悪臭処理用水性組成物。
【請求項１７】
前記組成物は、如何なる低分子量の一価アルコールも含まない、請求項１６の組成物。
【請求項１８】
前記少なくとも１つのアルキレングリコールは、プロピレングリコール、トリエチレングリコール、又はプロピレングリコールとトリエチレングリコールである請求項１６の組成物。
【請求項１９】
前記緩衝系は、クエン酸、アルカリ金属のクエン酸塩、リン酸水素二カリウム、リン酸二水素カリウム、重炭酸ナトリウム及びアルカリ金属の水酸化物の少なくとも１つである、請求項１６の組成物。
【請求項２０】
前記ＨＬＢは、９から１８である、請求項１６の組成物。
【手続補正２】
【補正対象書類名】明細書
【補正対象項目名】００３６
【補正方法】変更
【補正の内容】
【００３６】
エアゾール除去組成物は水性である。したがって、他成分との組み合わせで組成物全体をなす場合に１００％とするための残部量として水が含まれる。水は、逆浸透水、脱イオン水、水道水、又はその他同種類のもので構わない。逆浸透水の利用が望ましい。